(57)【特許請求の範囲】
【請求項１】
写真シール作成ゲームにおいて被写体が撮影される撮影空間内に定常光を照射する定常光光源の発光を制御する発光制御部と、
メンテナンス画面の表示を制御する表示制御部と、
前記メンテナンス画面に対する操作に基づいて、写真シール作成装置自身を省電力状態で動作させるための省電力モードを設定および／または解除するモード設定部と
を備え、
前記発光制御部は、前記省電力モードが設定された場合、
前記撮影空間が利用されている間は、前記定常光光源を点灯させ、
前記撮影空間の利用が終了してから所定の時間経過後に、前記定常光光源を消灯させる
写真シール作成装置。
【請求項２】
前記発光制御部は、前記省電力モードが設定された場合、
前記写真シール作成ゲームにおける撮影処理が行われている間は、前記定常光光源を点灯させ、
前記撮影処理が終了してから所定の時間経過後に、前記定常光光源を消灯させる
請求項１に記載の写真シール作成装置。
【請求項３】
前記発光制御部は、前記省電力モードが設定された場合、前記撮影処理の終了後、前記撮影空間内に設けられたモニタにデモ画面が表示されてから所定の時間経過後に、前記定常光光源を消灯させる
請求項２に記載の写真シール作成装置。
【請求項４】
前記発光制御部は、前記モニタに前記デモ画面が表示され、前記定常光光源が消灯されている状態で、前記写真シール作成ゲームを開始するための硬貨投入が検出されたとき、前記定常光光源を点灯させる
請求項３に記載の写真シール作成装置。
【請求項５】
前記定常光光源は、前記撮影空間の天井、および、前記被写体を撮影するカメラの上側の少なくともいずれか一方に設けられる
請求項１乃至４のいずれかに記載の写真シール作成装置。
【請求項６】
前記定常光光源は、LED（Light Emitting Diode）電球である
請求項１乃至５のいずれかに記載の写真シール作成装置。
【請求項７】
前記定常光光源は、蛍光灯である
請求項１乃至５のいずれかに記載の写真シール作成装置。
【請求項８】
写真シール作成ゲームにおいて被写体が撮影される撮影空間内に設けられた定常光光源の発光を制御する発光制御部と、
メンテナンス画面の表示を制御する表示制御部と、
前記メンテナンス画面に対する操作に基づいて、写真シール作成装置自身を省電力状態で動作させるための省電力モードを設定および／または解除するモード設定部と
を備える写真シール作成装置が、
前記省電力モードが設定された場合、
前記撮影空間が利用されている間は、前記定常光光源を点灯させ、
前記撮影空間の利用が終了してから所定の時間経過後に、前記定常光光源を消灯させる
ステップを含む発光制御方法。
【発明の詳細な説明】
【技術分野】
【０００１】
本技術は、写真シール作成装置および発光制御方法に関し、特に、写真シール機の省電力化を図ることができるようにする写真シール作成装置および発光制御方法に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
アミューズメント施設には、種々のアミューズメント機器が設置されている。アミューズメント施設の運営や経営を行うオペレータにとっては、このようなアミューズメント機器にかかる電力料金は低い方が好ましい。
【０００４】
その中で、例えば、コインが投入されるまでは、省電力状態で動作し、コインの投入が検知されることで、省電力状態から、ゲームを提供可能な通常状態に遷移するアミューズメント機器が知られている。
【０００５】
また、特許文献１には、未使用の撮影空間や編集空間において、デモ音声、BGM（Back Ground Music）、案内音声、効果音等の音声を消さず、画面の表示を消すことで、省電力を実現する写真シール機が記載されている。
【０００６】
しかしながら、特許文献１には、どのようにして画面の表示を消すのかについては、開示されていない。また、複数組の利用者に同時にゲームを提供可能な写真シール機を、効率良く省電力状態で動作させることは、考えられていなかった
【先行技術文献】
【特許文献】
【０００７】
【特許文献１】特開２０１０−２７１９７０号公報
【発明の概要】
【発明が解決しようとする課題】
【０００８】
ところで、写真シール機において、撮影空間が利用されていないときに、定常光光源が消灯されることは、考えられていなかった。
【０００９】
本技術は、このような状況に鑑みてなされたものであり、より効率的に、写真シール機の省電力化を図ることができるようにするものである。
【課題を解決するための手段】
【００１０】
本技術の一側面の写真シール作成装置は、写真シール作成ゲームにおいて被写体が撮影される撮影空間内に定常光を照射する定常光光源の発光を制御する発光制御部と、メンテナンス画面の表示を制御する表示制御部と、前記メンテナンス画面に対する操作に基づいて、写真シール作成装置自身を省電力状態で動作させるための省電力モードを設定および／または解除するモード設定部とを備え、前記発光制御部は、前記撮影空間が利用されている間は、前記定常光光源を点灯させ、前記撮影空間の利用が終了してから所定の時間経過後に、前記定常光光源を消灯させる。
【００１１】
本技術の一側面の発光制御方法は、写真シール作成ゲームにおいて被写体が撮影される撮影空間内に設けられた定常光光源の発光を制御する発光制御部と、メンテナンス画面の表示を制御する表示制御部と、前記メンテナンス画面に対する操作に基づいて、写真シール作成装置自身を省電力状態で動作させるための省電力モードを設定および／または解除するモード設定部とを備える写真シール作成装置が、前記省電力モードが設定された場合、前記撮影空間が利用されている間は、前記定常光光源を点灯させ、前記撮影空間の利用が終了してから所定の時間経過後に、前記定常光光源を消灯させるステップを含む。
【００１２】
本技術の一側面においては、省電力モードが設定された場合、撮影空間が利用されている間は、定常光光源が点灯させられ、撮影空間の利用が終了してから所定の時間経過後に、定常光光源が消灯させられる。
【発明の効果】
【００１３】
本技術によれば、より効率的に、写真シール機の省電力化を図ることが可能となる。
【図面の簡単な説明】
【００１４】
【図１】本技術の写真シール作成装置の外観の構成例を示す斜視図である。
【図２】利用者の移動について説明する図である。
【図３】撮影部の構成例を示す図である。
【図４】背景部の構成例を示す図である。
【図５】編集ユニットの構成例を示す図である。
【図６】編集ユニットの右側面の構成例を示す図である。
【図７】写真シール作成装置の内部の構成例を示すブロック図である。
【図８】制御部の機能構成例を示すブロック図である。
【図９】写真シール作成ゲーム処理について説明するフローチャートである。
【図１０】本技術の写真シール作成装置の機能構成例を示すブロック図である。
【図１１】メンテナンス画面の例を示す図である。
【図１２】エコモード設定処理について説明するフローチャートである。
【図１３】省電力状態の画面表示の例を示す図である。
【図１４】エコモード解除処理について説明するフローチャートである。
【図１５】エコモード設定以降の動作について説明する図である。
【図１６】エコモード設定以降の動作について説明する図である。
【図１７】エコモード設定以降の動作について説明する図である。
【図１８】エコモード設定以降の動作について説明する図である。
【図１９】エコモード設定以降の動作について説明する図である。
【図２０】エコモード設定以降の動作について説明する図である。
【図２１】メンテナンス画面の他の例を示す図である。
【図２２】メンテナンス画面のさらに他の例を示す図である。
【図２３】写真シール作成装置の他の機能構成例を示すブロック図である。
【図２４】メンテナンス画面の表示の予約の流れについて説明する図である。
【図２５】デモ画面の例を示す図である。
【図２６】エコモードが設定されているときの動作について説明する図である。
【図２７】編集モニタの表示の変化について説明する図である。
【図２８】エコモードが設定されているときの動作について説明する図である。
【図２９】エコモードが設定されているときの動作について説明する図である。
【図３０】写真シール作成装置のさらに他の機能構成例を示すブロック図である。
【図３１】天井ストロボユニットの外観の構成例を示す図である。
【図３２】天井ストロボユニットの内部の構成例を示す図である。
【図３３】天井ストロボユニットの内部の構成例を示す図である。
【図３４】上ストロボユニットの外観の構成例を示す図である。
【図３５】上ストロボユニットの内部の構成例を示す図である。
【図３６】エコモード設定処理について説明するフローチャートである。
【図３７】エコモード解除処理について説明するフローチャートである。
【図３８】エコモードが設定されているときの動作について説明する図である。
【図３９】エコモードが設定されているときの動作について説明する図である。
【図４０】エコモードが設定されているときの動作について説明する図である。
【図４１】エコモードが設定されているときの動作について説明する図である。
【発明を実施するための形態】
【００１５】
以下、本技術を適用した具体的な実施の形態について、図面を参照しながら詳細に説明する。
【００１６】
＜写真シール作成装置の外観構成＞
図１は、写真シール作成装置１の外観の構成例を示す斜視図である。
【００１７】
写真シール作成装置１は、撮影画像や編集済み画像を提供するゲーム機である。写真シール作成装置１は、画像をシール紙に印刷したり、画像を利用者の携帯端末上で閲覧可能にするためにその画像をサーバに送信することで、利用者に画像を提供する。写真シール作成装置１は、アミューズメント施設や店舗に設置される。写真シール作成装置１の利用者は、主に女子高生や女子大生などの若い女性が中心とされる。写真シール作成装置１において、１組あたり主に２人や３人などの複数人の利用者がゲームを楽しむことができる。もちろん、１人の利用者がゲームを楽しむこともできる。
【００１８】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１９】
写真シール作成装置１は、撮影ユニット１１と編集ユニット１２が接した状態で設置されることによって構成される。撮影ユニット１１と編集ユニット１２は電気的に接続される。撮影ユニット１１は、人が中に入ることができる程度の大きさを有する箱形状の筐体を有する。
【００２０】
撮影ユニット１１は、撮影部２１と背景部２２から構成される。撮影部２１と背景部２２は離れて設置される。撮影部２１と背景部２２の間に設けられる空間が、利用者が撮影作業を行う撮影空間となる。
【００２１】
撮影部２１は、利用者を被写体として撮影する装置である。撮影空間に臨む撮影部２１の正面にはカメラなどが設けられる。撮影部２１の、編集ユニット１２と接する面には正面パネル４１が設けられる。撮影空間にいる利用者から見て右側の面を右側面、左側の面を左側面とすると、撮影部２１の右側面が側面パネル４２Ａにより構成され、左側面が側面パネル４２Ｂ（図２）により構成される。
【００２２】
背景部２２は、それぞれ板状の部材である背面パネル５１、側面パネル５２Ａ、および側面パネル５２Ｂ（図２）から構成される。背面パネル５１は、正面を向いている利用者の背面側に位置する。側面パネル５２Ａは、背面パネル５１の右端に取り付けられ、側面パネル５２Ｂは、背面パネル５１の左端に取り付けられる。
【００２３】
側面パネル４２Ａと側面パネル５２Ａは、所定の間隔をあけてほぼ同一平面に設けられる。側面パネル４２Ａと側面パネル５２Ａの上部は、板状の部材である連結部３１Ａによって連結される。また、側面パネル４２Ａと側面パネル５２Ａの下部は、床面に設けられた例えば金属製の部材である連結部３４によって連結される。
【００２４】
側面パネル４２Ｂと側面パネル５２Ｂも同様にほぼ同一平面に設けられる。側面パネル４２Ｂと側面パネル５２Ｂの上部は連結部３１Ｂによって連結される。側面パネル４２Ａと側面パネル５２Ａの下部は、床面に設けた金属製の部材（図示せず）によって連結される。
【００２５】
側面パネル４２Ａ、連結部３１Ａ、および側面パネル５２Ａに囲まれることによって形成される開口が、撮影空間の出入り口となる。また、側面パネル４２Ｂ、連結部３１Ｂ、および側面パネル５２Ｂに囲まれることによって形成される開口もまた、撮影空間の出入り口となる。
【００２６】
撮影空間の上方には、撮影部２１の正面パネル４１、連結部３１Ａ、連結部３１Ｂ、および背景部２２の背面パネル５１に囲まれる開口が形成される。その開口には、その一部を覆うように天井ストロボユニット３２が設けられる。天井ストロボユニット３２の一端は連結部３１Ａに固定され、他端は連結部３１Ｂに固定される。
【００２７】
天井ストロボユニット３２は、撮影空間内に向けて光を照射するストロボ発光管を内蔵する。天井ストロボユニット３２の内部には、ストロボ発光管の他に、定常光を照射する定常光光源が設けられている。これにより、天井ストロボユニット３２は、撮影空間の照明としても機能する。
【００２８】
編集ユニット１２は、撮影画像に編集を施すための装置である。編集ユニット１２は、一方の側面が撮影部２１の正面パネル４１に接するようにして、撮影ユニット１１に連結している。
【００２９】
図１に示される編集ユニット１２の構成を正面側の構成とすると、編集ユニット１２の正面側と背面側のそれぞれに、編集作業で用いられる構成が設けられる。この構成により、２組の利用者が同時に編集を行うことができる。
【００３０】
編集ユニット１２の正面側は、面１２Ａと、面１２Ａの上方に形成された斜面１２Ｂから構成される。面１２Ａは、床面に対して垂直であり、撮影部２１の側面パネル４２Ａとほぼ平行な面である。斜面１２Ｂには、編集作業に用いられる構成として、タブレット内蔵モニタやタッチペンが設けられる。
【００３１】
斜面１２Ｂの上方右側には、照明装置７３の一端を支持する柱状の支持部７１Ａ（図５）が設けられる。斜面１２Ｂの左側には、照明装置７３の他端を支持する柱状の支持部７１Ｂが設けられる。支持部７１Ａの右側には板状のパネル７２が設けられる。パネル７２の上面にはカーテンレール７５を支持する支持部７４が設けられる。
【００３２】
編集ユニット１２の上方にはカーテンレール７５が取り付けられる。カーテンレール７５は、３本のレール７５Ａ乃至７５Ｃが組み合わされて構成される。３本のレール７５Ａ乃至７５Ｃは、上から見たときの形状がコの字状となるように組み合わされる。平行に設けられるレール７５Ａとレール７５Ｂの一端は、連結部３１Ａと連結部３１Ｂにそれぞれ固定され、レール７５Ａとレール７５Ｂの他端は、レール７５Ｃの両端にそれぞれ接合される。
【００３３】
カーテンレール７５には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３４】
また、後述するが、編集ユニット１２の右側面には、印刷済みのシール紙が排出される排出口が設けられる。編集ユニット１２の右側面前方の空間が、印刷が終了するのを利用者が待つ印刷待ち空間となる。
【００３５】
＜利用者の移動について＞
ここで、写真シール作成ゲームの流れと、それに伴う利用者の移動について説明する。
【００３６】
図２は、写真シール作成装置１を上から見た平面図である。
【００３７】
まず、利用者は、白抜き矢印＃１で示されるように出入り口Ｇ１から、または白抜き矢印＃２で示されるように出入り口Ｇ２から、撮影部２１と背景部２２の間に形成された撮影空間Ａ１に入る。出入り口Ｇ１は側面パネル４２Ａと側面パネル５２Ａの間の開口であり、出入り口Ｇ２は側面パネル４２Ｂと側面パネル５２Ｂの間の開口である。利用者は、撮影空間Ａ１において、撮影部２１に設けられたカメラやタッチパネルモニタなどを利用して撮影作業を行う。
【００３８】
撮影作業を終えた利用者は、白抜き矢印＃３で示されるように出入り口Ｇ１から撮影空間Ａ１を出て編集空間Ａ２−１に移動するか、白抜き矢印＃４で示されるように出入り口Ｇ２から撮影空間Ａ１を出て編集空間Ａ２−２に移動する。
【００３９】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。
【００４０】
編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００４１】
編集作業が終了した後、編集画像の印刷が開始される。印刷が開始されると、編集空間Ａ２−１での編集作業を終えた利用者は、白抜き矢印＃５で示されるように編集空間Ａ２−１から印刷待ち空間Ａ３に移動する。また、編集空間Ａ２−２での編集作業を終えた利用者は、白抜き矢印＃６で示されるように編集空間Ａ２−２から印刷待ち空間Ａ３に移動する。印刷待ち空間Ａ３に移動した利用者は、印刷が終了するのを待つ間、例えば、サーバに送信する画像の選択や、利用者が持つ携帯端末のメールアドレスの入力を事後選択作業として行う。
【００４２】
印刷が終了すると、利用者は、編集ユニット１２の右側面に設けられた排出口から排出されたシール紙を受け取り、一連の写真シール作成ゲームを終える。
【００４３】
次に、各部の構成について説明する。
【００４４】
＜撮影部の構成＞
図３は、撮影部２１の正面の構成例を示す図である。撮影部２１は、正面パネル４１、側面パネル４２Ａ、および側面パネル４２Ｂに囲まれるようにして構成される。
【００４５】
正面パネル４１のほぼ中央には、カメラユニット８１が設けられる。カメラユニット８１は、カメラ９１、正面ストロボユニット９２、およびタッチパネルモニタ９３から構成される。
【００４６】
カメラ９１は、例えば一眼レフカメラであり、レンズが露出するようにカメラユニット８１の内部に取り付けられる。カメラ９１はCCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９３にリアルタイムで表示される。撮影が指示されたときなどの所定のタイミングでカメラ９１により取り込まれた静止画像は、撮影画像として保存される。
【００４７】
正面ストロボユニット９２は、カメラ９１の上方に設けられる。正面ストロボユニット９２は、他のストロボユニットと同様にカメラ９１による撮影に合わせて発光する。正面ストロボユニット９２は、被写体としての利用者の顔付近に、その正面から光を照射する。
【００４８】
タッチパネルモニタ９３は、カメラ９１の下方に設けられる。タッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)パーツを表示することで、利用者の選択操作を受け付ける機能とを備える。タッチパネルモニタ９３には、カメラ９１により取り込まれた動画像（ライブビュー画像）や静止画像（撮影画像）が表示される。
【００４９】
正面パネル４１において、カメラユニット８１の上方には上ストロボユニット８２が設置される。また、カメラユニット８１の左方には左ストロボユニット８３が設置され、カメラユニット８１の右方には右ストロボユニット８４が設置される。さらに、カメラユニット８１の下方には箱状の足元ストロボユニット８５が設置される。
【００５０】
上ストロボユニット８２は、前方上側から利用者に光を照射する。左ストロボユニット８３は、前方左側から利用者に光を照射する。右ストロボユニット８４は、前方右側から利用者に光を照射する。足元ストロボユニット８５は、利用者の足元に光を照射する。
【００５１】
上ストロボユニット８２、左ストロボユニット８３、右ストロボユニット８４、および足元ストロボユニット８５の内部には定常光光源が設けられる。これらの定常光光源は、天井ストロボユニット３２内部の定常光光源とあわせて、撮影空間Ａ１内の照明として用いられる。各定常光光源の発光量が調整されることによって、または、発光する定常光光源の数が調整されることによって、撮影空間Ａ１内の明るさが適宜調整される。
【００５２】
足元ストロボユニット８５の右側および左側には、足元ストロボユニット８５より高さの低い箱状部８６Ａ，８６Ｂが設けられる。箱状部８６Ａ，８６Ｂそれぞれの上面は、利用者が手荷物などを置くための荷物置き場となる。
【００５３】
さらに、箱状部８６Ａには、利用者が硬貨を投入する硬貨投入口８７が設けられる。
【００５４】
また、図示はしないが、正面パネル４１の例えば天井付近にはスピーカが設けられる。そのスピーカは、撮影作業に関する案内音声、BGM、効果音などを出力する。
【００５５】
＜背景部の構成＞
図４は、背景部２２の撮影空間Ａ１側の構成例を示す図である。
【００５６】
背面パネル５１の上方中央には背面上ストロボユニット１２１が設けられる。また、背面パネル５１の上方右側（図中、左側）には背面右ストロボユニット１２２が設けられ、背面パネル５１の上方左側（図中、右側）には背面左ストロボユニット１２３が設けられる。
【００５７】
背面上ストロボユニット１２１は、後方上側から利用者に光を照射する。背面右ストロボユニット１２２は、後方右側から利用者に光を照射する。背面左ストロボユニット１２３は、後方左側から利用者に光を照射する。
【００５８】
背面パネル５１の撮影空間Ａ１側（図中、手前側）の面には、背面カーテン１２４が貼り付けられる。背面カーテン１２４の色は、例えば緑色とされる。また、図示はしないが、側面パネル５２Ａ，５２Ｂそれぞれの撮影空間Ａ１側にも、背面カーテン１２４と同様の側面カーテンが貼り付けられる。側面カーテンの色は、背面カーテン１２４の色と同一とする。
【００５９】
これらのカーテンはクロマキー用のカーテンとして用いられる。これにより、撮影画像に対してクロマキー処理を施し、利用者が所望する背景画像を、撮影画像の背景部分に合成することができる。なお、これらのカーテンの色は、クロマキー処理を行うことができる色であればよく、青色など、その他の色であってもよい。
【００６０】
＜編集ユニットの構成＞
図５は、編集ユニット１２の正面側（編集空間Ａ２−１側）の構成例を示す図である。
【００６１】
斜面１２Ｂのほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００６２】
タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６３】
図６は、編集ユニット１２の右側面の構成例を示す図である。
【００６４】
編集ユニット１２の右側面の一部を構成するパネル７２には、タブレット内蔵モニタ１４１が設けられる。タブレット内蔵モニタ１４１には、事後選択作業に用いられる画面が表示される。
【００６５】
編集ユニット１２の右側面の下部には、シール紙排出口１４２が設けられる。編集ユニット１２の内部にはプリンタが設けられている。そのプリンタにより、編集空間Ａ２−１の利用者が写る画像、または、編集空間Ａ２−２の利用者が写る画像が所定のレイアウト（以下、シールレイアウトという）でシール紙に印刷され、シール紙排出口１４２から排出される。
【００６６】
タブレット内蔵モニタ１４１の下方には、スピーカ１４３が設けられる。スピーカ１４３は、事後選択作業に関する案内音声、BGM、効果音等などを出力する。
【００６７】
＜写真シール作成装置の内部構成＞
図７は、写真シール作成装置１の内部の構成例を示すブロック図である。図７において、上述した構成と同じ構成には同じ符号を付してある。重複する説明については適宜省略する。
【００６８】
制御部２０１は、CPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ，２０９Ｂ、および事後選択部２１０の各構成も接続される。
【００６９】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００７０】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像をサーバに送信する。通信部２０３から送信された画像は、サーバにおいて所定の記憶領域が割り当てられて保存され、サーバにアクセスしてきた携帯端末に表示されたり、ダウンロードされたりする。
【００７１】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００７２】
ROM２０６は、制御部２０１において実行されるプログラムやデータを記憶する。RAM２０７は、制御部２０１が処理するデータやプログラムを一時的に記憶する。
【００７３】
撮影部２０８は、撮影空間Ａ１にいる利用者を対象とした撮影処理を実現する。撮影部２０８は、硬貨処理部２２１、照明装置２２２、カメラ９１、タッチパネルモニタ９３、およびスピーカ２２３から構成される。
【００７４】
硬貨処理部２２１は、硬貨投入口８７への硬貨の投入を検出する。硬貨処理部２２１は、例えば４００円などの所定の金額分の硬貨が投入されたことを検出した場合、ゲームの開始を指示する起動信号を制御部２０１に出力する。
【００７５】
照明装置２２２は、撮影空間Ａ１内の各ストロボユニットであり、制御部２０１から供給される照明制御信号に従って発光する。
【００７６】
カメラ９１は、制御部２０１によるシャッタ制御に従って撮影を行い、撮影によって得られた撮影画像（画像データ）を制御部２０１に出力する。
【００７７】
編集部２０９Ａは、編集空間Ａ２−１にいる利用者を対象とした編集処理を実現する。編集部２０９Ａは、タブレット内蔵モニタ１３１、タッチペン１３２Ａ，１３２Ｂ、およびスピーカ２３１から構成される。編集部２０９Ｂは、編集空間Ａ２−２にいる利用者を対象とした編集処理を実現し、編集部２０９Ａと同一の構成を有する。なお、以下、編集部２０９Ａ，２０９Ｂを特に区別しない場合には、単に、編集部２０９という。
【００７８】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００７９】
事後選択部２１０は、印刷待ち空間Ａ３にいる利用者を対象とした事後選択処理を実現する。事後選択処理は、事後選択作業を利用者に行わせるための処理である。事後選択部２１０は、タブレット内蔵モニタ１４１、スピーカ１４３、およびプリンタ２４１から構成される。プリンタ２４１にはシール紙ユニット２４２が装着される。
【００８０】
タブレット内蔵モニタ１４１は、制御部２０１による制御に従って各種の選択画面等を表示し、その画面に対する利用者の操作を受け付ける。利用者の操作の内容を表す入力信号は制御部２０１に供給され、各種の設定が行われる。
【００８１】
プリンタ２４１は、制御部２０１から供給された印刷データに基づいて、シール紙ユニット２４２に収納されているシール紙に編集画像を印刷する。プリンタ２４１は、編集画像を所定のシールレイアウトで印刷したシール紙を、シール紙排出口１４２に排出する。
【００８２】
＜制御部の構成＞
図８は、制御部２０１の機能構成例を示すブロック図である。図８に示す機能部のうちの少なくとも一部は、制御部２０１内のCPUにより所定のプログラムが実行されることによって実現される。
【００８３】
制御部２０１は、撮影処理部３０１、編集処理部３０２、印刷処理部３０３、および事後選択処理部３０４から構成される。
【００８４】
撮影処理部３０１は、撮影部２０８の各部を制御することで、撮影処理を行う。編集処理部３０２は、編集部２０９の各部を制御することで、編集処理を行う。印刷処理部３０３は、事後選択部２１０のプリンタ２４１を制御することで、印刷処理を行う。事後選択処理部３０４は、事後選択部２１０のタブレット内蔵モニタ１４１を制御することで、事後選択処理を行う。
【００８５】
＜写真シール作成装置の動作＞
ここで、図１０のフローチャートを参照して、写真シール作成ゲームを提供する写真シール作成装置１の動作について説明する。図１０の処理は、所定の金額分の硬貨が硬貨投入口８７に投入されたときに開始される。
【００８６】
ステップＳ１において、撮影処理部３０１は、撮影部２０８を制御することで、撮影処理を行う。具体的には、撮影処理部３０１は、カメラ９１に取り込まれた被写体のライブビュー画像をタッチパネルモニタ９３に表示させ、撮影空間Ａ１にいる利用者を被写体として撮影し、撮影画像を生成する。
【００８７】
ステップＳ２において、編集処理部３０２は、撮影処理を終えた利用者の移動先とした方の編集空間に対応する編集部２０９を制御することで、編集処理を行う。具体的には、編集処理部３０２は、撮影処理により得られた撮影画像に対して利用者に編集作業を行わせることで、編集が施された編集画像を生成する。
【００８８】
ステップＳ３において、印刷処理部３０３は、プリンタ２４１を制御することで、印刷処理を開始する。具体的には、印刷処理部３０３は、編集処理により得られた編集画像を、プリンタ２４１に出力してシール紙に印刷させる。なお、撮影処理により得られた撮影画像が、シール紙に印刷されるようにしてもよい。
【００８９】
ステップＳ４において、事後選択処理部３０４は、タブレット内蔵モニタ１４１を制御することで、事後選択処理を行う。具体的には、事後選択処理部３０４は、印刷が終わるのを待っている利用者に事後選択作業を行わせ、選択された撮影画像や編集画像を利用者の携帯端末に送信するために、その画像をサーバに送信する。
【００９０】
印刷が終了すると、ステップＳ５において、プリンタ２４１は、画像が印刷されたシール紙をシール紙排出口１４２に排出し、処理を終了させる。
【００９１】
ところで、写真シール作成装置１は、その写真シール作成装置１が設置されている店舗のオペレータの操作に基づいて、モニタを省電力状態で動作させるための省電力モードの設定および／または解除を行う機能を有する。
【００９２】
＜本技術の写真シール作成装置の機能構成例＞
ここで、図１０を参照して、本実施の形態の写真シール作成装置１の機能構成例について説明する。
【００９３】
本実施の形態の写真シール作成装置１は、上述したように、省電力モードの設定および／または解除を行う機能を有している。
【００９４】
図１０に示される写真シール作成装置１は、撮影モニタ３１１、編集モニタ３１２−１、事後選択モニタ３１３、進行制御部３２１、表示制御部３２２、およびモード設定部３２３を備えている。
【００９５】
撮影モニタ３１１は、撮影空間Ａ１に設けられるタッチパネルモニタ９３に対応する。
【００９６】
編集モニタ３１２−１は、編集空間Ａ２−１に設けられるタブレット内蔵モニタ１３１に対応する。なお、図示はしないが、編集空間Ａ２−２には、タブレット内蔵モニタ１３１に対応する編集モニタ３１２−２が設けられる。また、以下において、編集モニタ３１２−１と編集モニタ３１２−２とを区別しない場合、単に、編集モニタ３１２をいうこととする。
【００９７】
事後選択モニタ３１３は、印刷待ち空間Ａ３に設けられるタブレット内蔵モニタ１４１に対応する。
【００９８】
進行制御部３２１は、撮影処理部３０１、編集処理部３０２、印刷処理部３０３、および事後選択処理部３０４それぞれの処理状況に基づいて、ゲーム全体の進行（流れ）を制御する。また、進行制御部３２１は、ゲーム全体の進行に応じた画面表示を、表示制御部３２２に指示する。
【００９９】
表示制御部３２２は、撮影モニタ３１１、編集モニタ３１２、および事後選択モニタ３１３の各モニタの表示を制御する。また、表示制御部３２２は、各モニタのいずれかに表示されるメンテナンス画面に対する操作の内容を表す情報を、モード設定部３２３に供給する。
【０１００】
モード設定部３２３は、表示制御部３２２からの情報、具体的には、メンテナンス画面に対する操作に基づいて、各モニタの少なくともいずれか対して、省電力モードの設定および／または解除を行う。なお、以下においては、省電力モードを、エコモード（エコノミーモード）ということとする。
【０１０１】
＜エコモードの詳細＞
ここで、モニタに対して設定されるエコモードの詳細について説明する。
【０１０２】
モニタに対してエコモードが設定された場合、モニタは省電力状態に遷移する。省電力状態では、そのモニタを構成する液晶パネルを駆動する電圧がオフされる。これにより、モニタの消費電力が抑えられる。
【０１０３】
なお、省電力状態に遷移したモニタは、液晶パネルの駆動方式により、その見た目が異なる。
【０１０４】
液晶パネルが、ノーマリーホワイトの場合、液晶分子にかかる電圧がオフされると、液晶分子の配置が、バックライトの光を通過させるような配置となる。その結果、モニタの画面は「白」になる。
【０１０５】
一方、液晶パネルが、ノーマリーブラックの場合、液晶分子にかかる電圧がオフされると、液晶分子の配置が、バックライトの光を遮るような配置となる。その結果、モニタの画面は「黒」になる。
【０１０６】
また、モニタに対してエコモードが設定された場合、液晶パネルの輝度が下げられるようにしてもよいし、バックライトがオフされるようにしてもよい。
【０１０７】
なお、モニタに対してエコモードが設定されている場合であっても、ゲームの進行上、そのモニタが利用される場合には、モニタは、省電力状態から、ゲームを提供可能な通常状態に遷移する。
【０１０８】
さらに、エコモードが、モニタに加え、そのモニタを制御するモニタ制御機器（具体的には、パーソナルコンピュータ）に対して設定されるようにしてもよい。
【０１０９】
モニタ制御機器にエコモードが設定された場合、モニタ制御機器は、省電力状態として、スタンバイ状態または休止状態に遷移する。
【０１１０】
スタンバイ状態では、グラフィックス機能やハードディスク、その他のデバイスの電源がオフにされる。休止状態では、ハードディスク上にメモリの内容が退避されてから、メモリを含む各デバイスの電源がオフにされる。スタンバイ状態、休止状態ともに電源オフとほぼ同様の状態であり、これにより、モニタ制御機器の消費電力が抑えられる。
【０１１１】
＜メンテナンス画面の詳細＞
次に、図１１を参照して、上述したエコモードを含む各種の設定を行うためのメンテナンス画面について説明する。
【０１１２】
メンテナンス画面を用いた各種の設定は、店舗の開店前や閉店後、客数の少ない時間帯（アイドルタイム）など、利用者が写真シール作成装置１を利用しない時間に行われる。例えば、図１１に示されるメンテナンス画面は、オペレータが所定の操作を行うことで表示される。
【０１１３】
メンテナンス画面は、例えば、撮影空間Ａ１内の撮影モニタ３１１に表示されるものとするが、編集空間Ａ２−１，Ａ２−２内の編集モニタ３１２−１，３１２−２や、印刷空間Ａ３の事後選択モニタ３１３に表示されるようにしてもよい。
【０１１４】
図１１に示されるメンテナンス画面においては、「コイン設定」、「制限時間設定」、「エコモード設定」、「デモ画面設定」、「店名スタンプ設定」、「機能使用設定」、「通信機能設定」、「落書ブース設定」、および「広告表示設定」の各設定が行われる。メンテナンス画面の左側には、各設定に対応する設定ボタン３６１乃至３６９が設けられる。図１１の例では、設定ボタン３６３が選択され、「エコモード設定」が行われることが示されている。
【０１１５】
また、設定ボタン３６９の下には、メンテナンス画面のトップ画面に表示を戻すための戻るボタン３７０が設けられている。
【０１１６】
設定ボタン３６１乃至３６９の右方には、表示欄３７１が設けられる。表示欄３７１の下には、各種の設定を、写真シール作成装置１の出荷時の状態に戻すためのボタン３７２が表示される。
【０１１７】
表示欄３７１は、エコモードの設定に関する情報が表示される欄である。表示欄３７１には、ボタン３７１Ａ，３７１Ｂが表示されている。
【０１１８】
オペレータは、表示欄３７１に表示されているボタン３７１Ａ，３７１Ｂのいずれかを選択することにより、エコモードの「あり」または「なし」を設定することができる。図１１の例では、エコモード「あり」が設定されている。この場合、モニタに対してエコモードが設定される。
【０１１９】
＜エコモード設定処理について＞
次に、図１２のフローチャートを参照して、エコモード設定処理について説明する。図１２の処理は、モニタに対してエコモードが設定されておらず、かつ、撮影モニタ３１１、編集モニタ３１２−１，３１２−２、および事後選択モニタ３１３のいずれも操作されていない状態で実行される。
【０１２０】
ステップＳ１１において、表示制御部３２２は、図示せぬメンテナンスボタンが押下されたか否かを判定する。
【０１２１】
メンテナンスボタンは、例えば、物理的なボタンとして構成され、撮影部２１の箱状部８６Ａの、硬貨投入口８７が設けられている面を開いた内部などに設けられる。
【０１２２】
ステップＳ１１において、メンテナンスボタンが押下されたと判定されると、処理はステップＳ１２に進む。なお、メンテナンスボタンが押下されるまで、処理はステップＳ１２に進まない。
【０１２３】
ステップＳ１２において、表示制御部３２２は、撮影モニタ３１１にメンテナンス画面を表示する。
【０１２４】
図１１を参照して説明したように、メンテナンス画面において、設定ボタン３６３が選択され、「エコモード設定」が行われる状態になると、ステップＳ１３において、表示制御部３２２は、ボタン３７１Ａ、すなわち、エコモード「あり」が選択されたか否かを判定する。
【０１２５】
ステップＳ１３において、エコモード「あり」が選択されたと判定された場合、処理はステップＳ１４に進む。
【０１２６】
ステップＳ１４において、モード設定部３２３は、例えば、編集モニタ３１２に対して、エコモードを設定する。
【０１２７】
ステップＳ１５において、表示制御部３２２は、編集モニタ３１２を省電力状態で動作させる。
【０１２８】
例えば、編集モニタ３１２が有する液晶パネルが、ノーマリーホワイトの場合、編集モニタ３１２の画面は「白」になる。また、編集モニタ３１２が有する液晶パネルが、ノーマリーブラックの場合、編集モニタ３１２の画面は「黒」になる。
【０１２９】
なお、省電力状態にある編集モニタ３１２の画面が白一色や黒一色であると、それを見た利用者やオペレータが、電源が入っていないのでは、故障しているのでは、などと勘違いをするおそれがある。そこで、編集モニタ３１２が省電力状態にある場合、図１３に示されるように、編集モニタ３１２の中央に、「エコモード中」などと、エコモードが設定されている旨のメッセージを表示させるようにしてもよい。
【０１３０】
一方、ステップＳ１３において、エコモード「あり」が選択されていないと判定された場合、エコモードは設定されず、処理は終了する。
【０１３１】
＜エコモード解除処理について＞
続いて、図１４のフローチャートを参照して、エコモード解除処理について説明する。図１４の処理は、エコモードが設定され、かつ、撮影モニタ３１１、編集モニタ３１２−１，３１２−２、および事後選択モニタ３１３のいずれも操作されていない状態で実行される。
【０１３２】
ステップＳ３１において、表示制御部３２２は、図示せぬメンテナンスボタンが押下されたか否かを判定する。
【０１３３】
ステップＳ３１において、メンテナンスボタンが押下されたと判定されると、処理はステップＳ３２に進む。なお、メンテナンスボタンが押下されるまで、処理はステップＳ３２に進まない。
【０１３４】
ステップＳ３２において、表示制御部３２２は、撮影モニタ３１１にメンテナンス画面を表示する。
【０１３５】
図１１を参照して説明したように、メンテナンス画面において、設定ボタン３６３が選択され、「エコモード設定」が行われる状態になると、ステップＳ３３において、表示制御部３２２は、ボタン３７１Ｂ、すなわち、エコモード「なし」が選択されたか否かを判定する。
【０１３６】
ステップＳ３３において、エコモード「なし」が選択されたと判定された場合、処理はステップＳ３４に進む。
【０１３７】
ステップＳ３４において、モード設定部３２３は、例えば、編集モニタ３１２に対して、エコモードを解除する。
【０１３８】
ステップＳ３５において、表示制御部３２２は、編集モニタ３１２を通常状態で動作させる。このとき例えば、編集モニタ３１２には、写真シール作成ゲームの流れや遊び方などを映像や音声で案内（説明）するデモ画面が表示される。
【０１３９】
一方、ステップＳ３３において、エコモード「なし」が選択されていないと判定された場合、エコモードは解除されず、処理は終了する。
【０１４０】
以上の処理によれば、オペレータは、必要に応じて、エコモードを簡単に設定および／または解除することができる。これにより、より効率的に、写真シール機の省電力化を図ることが可能となる。
【０１４１】
以上においては、編集モニタ３１２に対してエコモードが設定および／または解除されるものとした。編集モニタ３１２が設けられる編集空間Ａ２−１，Ａ２−２は、カーテンで囲われており、また、利用者は、撮影作業を終えてから編集空間Ａ２−１，Ａ２−２へ移動するため、編集モニタ３１２が省電力状態にあったとしても、そのことが利用者に気づかれることはない。
【０１４２】
また、写真シール作成装置１には、複数（２つ）の編集モニタ３１２が設けられるため、編集モニタ３１２に対してエコモードを設定することによる省電力化の効果は、他のモニタより高い。
【０１４３】
なお、編集空間Ａ２−１，Ａ２−２のうち、いずれも利用者に利用されていない場合には、編集モニタ３１２−１，３１２−２は、いずれも省電力状態で動作する。また、編集空間Ａ２−１，Ａ２−２のうち、いずれかが利用者に利用されている場合には、利用者に利用されていない編集空間に設けられている編集モニタ３１２が、省電力状態で動作する。さらに、編集空間Ａ２−１，Ａ２−２のうち、いずれも利用者に利用されている場合には、編集モニタ３１２−１，３１２−２は、いずれも省電力状態での動作はせず通常状態で動作し、編集画面を表示する。
【０１４４】
また、編集モニタ３１２だけではなく、撮影モニタ３１１や事後選択モニタ３１３に対してエコモードが設定されるようにしてもよい。
【０１４５】
例えば、撮影空間Ａ１の外側に、事前に撮影に関する各種の選択作業（事前選択作業）を利用者に行わせるための事前選択モニタが設けられる場合、利用者は、事前選択作業を終えてから撮影空間Ａ１へ移動するため、撮影モニタ３１１が省電力状態にあったとしても、利用者に気づかれることはない。
【０１４６】
また、事前選択モニタが設けられる場合、事前選択モニタに対してエコモードが設定されるようにしてもよい。この場合、事前選択モニタは、事前選択モニタの近傍に設けられる硬貨投入口に対して硬貨が投入されるまで、省電力状態で動作する。
【０１４７】
なお、印刷待ち空間Ａ３や、事前選択モニタが設けられる事前選択空間は、カーテンで囲われていないため、事後選択モニタ３１３や事前選択モニタが省電力状態で動作している場合、写真シール作成装置１が稼動していないと思われるおそれがある。そこで、事後選択モニタ３１３や事前選択モニタに対しては、エコモードが設定されないようにしてもよい。また、事前選択空間や事後選択空間に人感センサを設け、利用者の存在が検知される場合、事後選択モニタ３１３や事前選択モニタに対しては、エコモードが設定されないようにしてもよい。
【０１４８】
また、全てのモニタに対してエコモードが設定されるようにしてもよい。この場合、アイドルタイムにおける省電力化の効果をより一層高めることができる。
【０１４９】
＜エコモード設定以降の写真シール作成装置の動作＞
ここで、エコモード設定以降の写真シール作成装置１の動作について説明する。以下においては、編集モニタのみに対してエコモードが設定されるものとする。
【０１５０】
（動作例１）
図１５は、写真シール作成装置１の動作例について説明する図である。
【０１５１】
図１５には、撮影モニタ、編集モニタ１、編集モニタ２、および事後選択モニタそれぞれの動作が時系列に沿って示されている。なお、図１５に示される撮影モニタ、編集モニタ１、編集モニタ２、および事後選択モニタそれぞれは、上述した撮影モニタ３１１、編集モニタ３１２−１，３１２−２、および事後選択モニタ３１３それぞれに対応するものとし、以降においても同様とする。
【０１５２】
まず、メンテナンス画面においてエコモードが設定されると、編集モニタ１および編集モニタ２は、省電力状態での動作を開始する。なお、以下においては、省電力状態におけるモニタの画面を、エコ画面という。
【０１５３】
次に、撮影空間において硬貨投入がされると、撮影モニタは、利用者に撮影作業を行わせるための撮影画面を表示する。その後、撮影処理において撮影モニタに最後に表示される撮影画面として、編集モニタ１が設けられている編集空間への案内画面が表示されると、利用者は、編集モニタ１が設けられている編集空間へ移動する。
【０１５４】
利用者が、編集作業を開始するべく、タッチペンにより編集モニタ１にタッチすると、編集モニタ１は、省電力状態での動作を一旦終了し、利用者に編集作業を行わせるための編集画面を表示する。なお、タッチペンによるタッチによらず、撮影処理終了後から所定時間経過後に、編集画面が表示されるようにしてもよい。さらに、撮影空間の出入り口Ｇ１，Ｇ２に人感センサを設けたり、編集空間を囲むカーテンの動きを検知するセンサなどを設け、撮影処理終了後のこれらのセンサからの出力に基づいて、編集画面が表示されるようにしてもよい。さらにまた、編集空間内にマイクロフォンを設け、利用者の声や利用者の移動に伴う音などを検出することで、編集画面が表示されるようにしてもよい。
【０１５５】
編集処理において編集モニタ１に最後に表示される編集画面として、印刷待ち空間への案内画面が表示されると、利用者は、印刷待ち空間へ移動する。印刷待ち空間に設けられている事後選択モニタは、利用者の事後選択作業を受け付ける事後選択画面を表示する。事後選択画面は、編集作業において最後の選択作業となるシールレイアウトの選択がなされたときに、事後選択モニタに表示されるようにしてもよい。なお、図示はしないが、事後選択画面が表示されるまで、事後選択モニタには、デモ画面が表示されているものとする。
【０１５６】
このとき、すなわち利用者が編集作業において最後の選択作業の選択を終えるなどして編集作業を終了した後、編集モニタ１は、再び省電力状態での動作を開始し、エコ画面を表示する。なお、印刷待ち空間へ移動した利用者が事後選択画面にタッチしたときに、編集モニタ１にエコ画面が表示されるようにしてもよい。さらに、編集空間を囲むカーテンの動きを検知するセンサや、印刷待ち空間に人感センサなどを設け、編集処理終了後のこれらのセンサからの出力に基づいて、編集モニタ１にエコ画面が表示されるようにしてもよい。さらにまた、印刷待ち空間にマイクロフォンを設け、利用者の声や利用者の移動に伴う音などを検出することで、編集モニタ１にエコ画面が表示されるようにしてもよい。また、利用者が編集作業を行うべきでない編集空間に設けられている編集モニタ２は、終始エコ画面を表示する。
【０１５７】
このような動作により、写真シール作成装置１の省電力化を図ることができる。
【０１５８】
（動作例２）
図１６は、写真シール作成装置１の他の動作例について説明する図である。
【０１５９】
まず、メンテナンス画面においてエコモードが設定されると、編集モニタ１および編集モニタ２は、エコ画面を表示する。
【０１６０】
次に、撮影空間において硬貨投入がされると、撮影モニタは、撮影画面を表示する。その後、撮影処理において、Ｎ回目の撮影、例えば、６回行われるうちの４回目の撮影が行われると、利用者が編集作業を行うべきである編集空間に設けられている編集モニタ１は、省電力状態での動作を一旦終了し、編集画面を表示する。
【０１６１】
撮影処理において撮影モニタに最後に表示される撮影画面として、編集モニタ１が設けられている編集空間への案内画面が表示されると、利用者は、編集モニタ１が設けられている編集空間へ移動する。
【０１６２】
その後、編集処理において編集モニタ１に最後に表示される編集画面として、事後選択モニタが設けられている印刷待ち空間への案内画面が表示されると、利用者は、印刷待ち空間へ移動する。印刷待ち空間に設けられている事後選択モニタは、事後選択画面を表示する。
【０１６３】
このとき、すなわち利用者が編集作業において最後の選択作業の選択を終えるなどして編集作業を終了した後、編集モニタ１は、再び省電力状態での動作を開始し、エコ画面を表示する。また、利用者が編集作業を行うべきでない編集空間に設けられている編集モニタ２は、終始エコ画面を表示する。
【０１６４】
このような動作により、写真シール作成装置１の省電力化を図ることができる。また、利用者が編集空間に移動する前に、編集画面が表示されるので、利用者にエコ画面が見られることなく、また、ゲームの進行をスムーズにすることができる。
【０１６５】
（動作例３）
図１７は、写真シール作成装置１のさらに他の動作例について説明する図である。
【０１６６】
まず、メンテナンス画面においてエコモードが設定されると、編集モニタ１および編集モニタ２は、エコ画面を表示する。
【０１６７】
次に、撮影空間において硬貨投入がされると、撮影モニタは、撮影画面を表示する。その後、撮影処理において撮影モニタに最後に表示される撮影画面として、利用者が編集作業を行うべきである、編集モニタ１が設けられている編集空間への案内画面が表示されると、編集モニタ１は、省電力状態での動作を一旦終了し、デモ画面を表示する。
【０１６８】
ここで、利用者が、誤って、本来編集作業を行うべきでない、編集モニタ２が設けられている編集空間へ移動したとする。
【０１６９】
利用者は、編集モニタ２に表示されているエコ画面を見て、誤った編集空間に移動したことに気づき、本来編集作業を行うべきである編集モニタ１が設けられている編集空間へ移動する。
【０１７０】
利用者が、編集作業を開始するべく、タッチペンにより編集モニタ１にタッチすると、編集モニタ１は、編集画面を表示する。
【０１７１】
編集処理において編集モニタ１に最後に表示される編集画面として、印刷待ち空間への案内画面が表示されると、利用者は、印刷待ち空間へ移動する。印刷待ち空間に設けられている事後選択モニタは、事後選択画面を表示する。
【０１７２】
このとき、編集モニタ１は、再び省電力状態での動作を開始し、エコ画面を表示する。また、利用者が編集作業を行うべきでない編集空間に設けられている編集モニタ２は、終始エコ画面を表示する。
【０１７３】
このような動作により、写真シール作成装置１の省電力化を図ることができる。
【０１７４】
（動作例４）
図１８は、写真シール作成装置１のさらに他の動作例について説明する図である。
【０１７５】
まず、メンテナンス画面においてエコモードが設定されると、編集モニタ１および編集モニタ２は、エコ画面を表示する。
【０１７６】
次に、撮影空間において硬貨投入がされると、撮影モニタは、撮影画面を表示する。その後、撮影処理において撮影モニタに最後に表示される撮影画面として、利用者が編集作業を行うべきである、編集モニタ１が設けられている編集空間への案内画面が表示されると、編集モニタ１は、省電力状態での動作を一旦終了し、デモ画面を表示する。
【０１７７】
ここで、利用者が、誤って、本来編集作業を行うべきでない編集モニタ２が設けられている編集空間へ移動したとする。
【０１７８】
利用者は、編集作業を開始するべく、タッチペンにより編集モニタ２にタッチすると、編集モニタ２は、省電力状態での動作を一旦終了し、編集モニタ１が設けられている編集空間への案内画面を表示する。
【０１７９】
利用者は、編集モニタ２に表示されている案内画面を見て、誤った編集空間に移動したことに気づき、本来編集作業を行うべきである編集モニタ１が設けられている編集空間へ移動する。
【０１８０】
利用者が、編集作業を開始するべく、タッチペンにより編集モニタ１にタッチすると、編集モニタ１は、デモ画面の表示を終了し、編集画面を表示する。このとき、編集モニタ２は、再び省電力状態での動作を開始し、エコ画面を表示する。
【０１８１】
なお、以降の動作は、上述した例と同様であるので、省略する。
【０１８２】
このような動作により、写真シール作成装置１の省電力化を図ることができる。
【０１８３】
（動作例５）
図１９は、写真シール作成装置１のさらに他の動作例について説明する図である。
【０１８４】
図１８の例では、利用者が、本来編集作業を行うべきでない編集モニタ２にタッチすることで、本来編集作業を行うべきである編集空間への案内画面が表示されるものとした。これに対して、図１９の例では、撮影作業が終了し、撮影モニタに、編集モニタ１が設けられている編集空間への案内画面が表示されることで、編集モニタ２が、本来編集作業を行うべきである編集空間への案内画面を表示する。
【０１８５】
このような動作により、写真シール作成装置１の省電力化を図ることができる。
【０１８６】
（動作例６）
図２０は、写真シール作成装置１のさらに他の動作例について説明する図である。
【０１８７】
図２０の例では、２つの編集空間それぞれが、利用者により利用されており、編集モニタ１および編集モニタ２それぞれが、編集画面を表示している。
【０１８８】
編集モニタ１に、印刷待ち空間への案内画面が表示されると、編集モニタ１を利用していた第１の利用者は、印刷待ち空間へ移動する。印刷待ち空間に設けられている事後選択モニタは、事後選択画面を表示する。
【０１８９】
このとき、編集モニタ１は、省電力状態での動作を開始し、エコ画面を表示する。
【０１９０】
事後選択モニタにおいて、第１の利用者に対する事後選択画面の表示中に、第２の利用者による編集モニタ２を用いた編集作業が終了すると、編集モニタ２は、編集画面の表示を終了し、デモ画面や広告を表示する。このデモ画面には、他の利用者が印刷待ち空間を利用している旨のメッセージを表示するようにしてもよい。また、デモ画面を表示させるのではなく、編集画面を表示し続け、利用者に編集作業を継続させるようにしてもよい。
【０１９１】
これにより、編集作業を終えた第２の利用者が、第１の利用者が利用中の印刷待ち空間へ移動してしまうことを防ぐことができる。
【０１９２】
第１の利用者に対する事後選択画面の表示、すなわち事後選択処理および印刷処理が終了すると、編集モニタ２は、デモ画面の表示を終了し、印刷待ち空間への案内画面を表示した後、省電力状態での動作を開始し、エコ画面を表示する。
【０１９３】
編集モニタ２を利用していた第２の利用者は、印刷待ち空間へ移動する。印刷待ち空間に設けられている事後選択モニタは、新たに事後選択画面を表示する。
【０１９４】
このような動作により、写真シール作成装置１の省電力化を図ることができる。
【０１９５】
なお、上述した動作例において、エコ画面や案内画面の表示とともに、それらの内容を示す音声アナウンスが出力されるようにしても
【０１９６】
＜メンテナンス画面の他の例＞
図２１は、メンテナンス画面の他の例を示している。
【０１９７】
図２１に示されるメンテナンス画面は、図１１に示されるメンテナンス画面の構成に加え、表示欄３７１の下方に表示欄３８１を備える。
【０１９８】
表示欄３８１は、エコモードに関する詳細設定のあり／なしに関する情報が表示される欄である。表示欄３８１には、ボタン３８１Ａが表示されている。
【０１９９】
表示欄３８１に表示されているボタン３８１Ａを選択することにより、詳細設定の「あり」または「なし」を設定することができる。図２１の例では、詳細設定「なし」が設定されている。
【０２００】
詳細設定「あり」によれば、例えば、撮影モニタ３１１、編集モニタ３１２、および事後選択モニタ３１３のいずれに対して、エコモードを設定するかを選択することができる。
【０２０１】
図２２は、メンテナンス画面のさらに他の例を示している。
【０２０２】
図２２に示されるメンテナンス画面は、図１１に示されるメンテナンス画面の構成に加え、表示欄３７１の下方に表示欄３９１を備える。
【０２０３】
表示欄３９１は、メンテナンス画面が表示される時間を延長する場合の延長時間の設定に関する情報が表示される欄である。表示欄３９１には、ボタン３９１Ａ乃至Ｄが表示されている。
【０２０４】
オペレータは、表示欄３９１に表示されているボタン３９１Ａ乃至Ｄのいずれかを選択することにより、メンテナンス画面の延長表示時の延長時間として、「５分」、「10分」、「15分」、および「30分」のいずれかを設定することができる。図２２の例では、メンテナンス画面の延長表示時の延長時間として「10分」が設定されている。この場合、メンテナンス画面の表示が開始されてから10分が経過するまで、メンテナンス画面が表示され続ける。
【０２０５】
これにより、短時間で、エコモードの設定と解除を行う場合など、その度毎に、メンテナンス画面を表示させる手間を省くことができる。
【０２０６】
なお、上述したメンテナンス画面において、エコ画面（省電力状態におけるモニタの画面）の表示時間が設定されるようにしてもよい。
【０２０７】
＜写真シール作成装置の他の機能構成例＞
図２３は、本実施の形態の写真シール作成装置１の他の機能構成例を示している。
【０２０８】
図２３に示される構成は、図１０に示される構成に加え、予約受付部４１１を備える。
【０２０９】
予約受付部４１１は、写真シール作成ゲームの各工程（各処理）が終了したときの、メンテナンス画面の表示の予約を受け付ける。
【０２１０】
＜メンテナンス画面の表示の予約の流れ＞
ここで、図２４を参照して、メンテナンス画面の表示の予約の流れについて説明する。
【０２１１】
図２４には、撮影モニタ、編集モニタ１、編集モニタ２、および事後選択モニタそれぞれの動作が時系列に沿って示されている。
【０２１２】
図２４の例では、まず、第１の利用者が撮影作業を行っており、撮影モニタは、撮影画面を表している。また、第２の利用者が編集作業を行っており、編集モニタ２は、編集画面を表示している。なお、利用されていない編集モニタ１は、デモ画面を表示している。
【０２１３】
このような状態で、オペレータによりメンテナンスボタンが押下されると、予約受付部４１１は、メンテナンス画面の表示の予約を受け付ける。このとき、利用されていないモニタ、すなわち、編集モニタ１は、待機画面を表示する。待機画面には、例えば、「メンテナンス画面の起動待ちです。ゲームはできません」などのメッセージが表示される。
【０２１４】
この状態で、第１の利用者が撮影作業を終えると、撮影モニタは、待機画面を表示する。一方、第１の利用者の移動先となる編集空間の編集モニタ１は、待機画面の表示を終了し、編集画面を表示する。
【０２１５】
続いて、第２の利用者が編集作業を終えると、編集モニタ２は、待機画面を表示する。第２の利用者の移動先となる印刷待ち空間の事後選択モニタは、事後選択画面を表示する。
【０２１６】
第２の利用者が事後選択作業を終え、事後選択モニタが、事後選択画面の表示を終了した後、第１の利用者が編集作業を終えると、編集モニタ１は、待機画面を表示する。第１の利用者の移動先となる印刷待ち空間の事後選択モニタは、事後選択画面を表示する。
【０２１７】
そして、第１の利用者が事後選択作業を終え、事後選択モニタが、事後選択画面の表示を終了した後、事後選択モニタは、待機画面を表示する。
【０２１８】
このとき、撮影モニタ、編集モニタ１、編集モニタ２、および事後選択モニタそれぞれは、待機画面を表示している状態となる。
【０２１９】
この状態で、メンテナンスボタンが再度押下されると、予約受付部４１１は、表示制御部３２２にメンテナンス画面の表示を指示する。そして、撮影モニタは、表示制御部３２２の制御に基づいて、メンテナンス画面を表示する。
【０２２０】
以上のようにして、利用者がゲームをしていないときにメンテナンス画面を表示させることができるので、オペレータは、利用者のゲームを妨げることなく、エコモードを含む各種の設定を行いたいときに行うことが可能となる。
【０２２１】
＜省電力状態での動作の制限について＞
以下においては、モニタの省電力状態での動作の制限について説明する。
【０２２２】
（時間帯に応じた省電力状態での動作の制限）
モード設定部３２３は、時間帯に応じて、モニタの省電力状態での動作を制限するようにしてもよい。
【０２２３】
例えば、土曜日および日曜日の夕方は、写真シール作成装置１の利用者の回転率が高くなるため、エコモードが設定されていても、モニタの省電力状態での動作が制限されるようにする。逆に、平日の午前中は、回転率が低くなるため、モニタの省電力状態での動作は制限されないようにする。これらの時間帯は、メンテナンス画面において設定可能とされるようにする。
【０２２４】
また、写真シール作成装置１の主な利用者である女子中高生が夏休みなどの長期休暇となる期間もまた、写真シール作成装置１の利用者の回転率が高くなるため、エコモードが設定されていても、モニタの省電力状態での動作が制限されるようにしてもよい。この場合、省電力状態での動作が制限される期間を、メンテナンス画面において入力させるようにする。
【０２２５】
さらに、写真シール作成装置１の起動時から所定時間内は、モニタの省電力状態での動作は制限されないようにしてもよい。
【０２２６】
（写真シール作成装置の機種に応じた省電力状態での動作の制限）
モード設定部３２３は、写真シール作成装置１の機種に応じて、モニタの省電力状態での動作を制限するようにしてもよい。
【０２２７】
写真シール作成装置１には、回転率の高い機種と、回転率の低い機種がある。そこで、回転率の高い機種については、エコモードが設定されていても、モニタの省電力状態での動作が制限されるようにする。逆に、回転率の低い機種については、モニタの省電力状態での動作は制限されないようにする。これら制限の有無は、写真シール作成装置１の出荷時に設定されているようにする。
【０２２８】
（写真シール作成装置の機種毎のバージョンに応じた省電力状態での動作の制限）
モード設定部３２３は、写真シール作成装置１の機種毎のバージョンに応じて、モニタの省電力状態での動作を制限するようにしてもよい。
【０２２９】
写真シール作成装置１の機種毎のバージョンによって、例えば証明写真撮影機能などの特定の機能が付加されていたり、付加されていなかったりする。そして、その機能の有無によって、同じ機種であっても回転率にも差が生じる。そこで、回転率の高いバージョンについては、エコモードが設定されていても、モニタの省電力状態での動作が制限されるようにする。逆に、回転率の低いバージョンについては、モニタの省電力状態での動作は制限されないようにする。
【０２３０】
（写真シール作成装置が設置される店舗に応じた省電力状態での動作の制限）
モード設定部３２３は、写真シール作成装置１が設置される店舗に応じて、モニタの省電力状態での動作を制限するようにしてもよい。
【０２３１】
写真シール作成装置１が設置される店舗は、それぞれ立地条件が異なる。そして、その立地条件によって、回転率にも差が生じる。そこで、回転率の高い店舗に設置されている装置については、エコモードが設定されていても、モニタの省電力状態での動作が制限されるようにする。逆に、回転率の低い店舗に設置されている装置については、モニタの省電力状態での動作は制限されないようにする。店舗の立地に関する情報は、写真シール作成装置１の出荷時に設定されているようにする。また、写真シール作成装置１が設置される際にオペレータにより設定される、店舗を表す情報である店名スタンプに基づいて、店舗の立地に関する情報が得られるようにしてもよい。なお、ある店舗から他の店舗へ装置が移設される場合、GPS（Global Positioning System）により位置情報を取得することで、店舗の立地に関する情報が更新されるようにしてもよい。
【０２３２】
（写真シール作成装置の売り上げに応じた省電力状態での動作の制限）
モード設定部３２３は、写真シール作成装置１の売り上げに応じて、モニタの省電力状態での動作を制限するようにしてもよい。
【０２３３】
売り上げの高い写真シール作成装置１は回転率が高く、売り上げの低い写真シール作成装置１は回転率が低い。そこで、売り上げの高い装置については、エコモードが設定されていても、モニタの省電力状態での動作が制限されるようにする。逆に、売り上げの低い装置については、モニタの省電力状態での動作は制限されないようにする。これにより、売り上げの低い装置は省電力状態で動作する時間や回数が多くなるため、写真シール作成装置１が設置されている店舗は、経費を削減することができる。
【０２３４】
＜その他＞
以上においては、撮影空間と編集空間とは、別々の空間として設けられるものとしたが、同一の空間として設けられるようにしてもよい。
【０２３５】
この場合、撮影モニタは編集モニタを兼ねることになる。この撮影・編集モニタに対してエコモードが設定された場合、撮影作業および編集作業を終了した利用者が印刷待ち空間へ移動した後に、撮影・編集モニタが、省電力状態で動作するようになる。
【０２３６】
また、上述したように、編集モニタのみに対してエコモードが設定されるような場合であっても、エコモードが設定されていることを利用者やオペレータに報知するために、例えば図２５に示されるように、撮影モニタに表示されるデモ画面に、エコモードが設定されている旨を表す「エコモード中」のメッセージが表示されるようにしてもよい。
【０２３７】
ところで、編集モニタに表示される編集画面は、２人の利用者が同時に編集作業を行えるように、左右対称に構成されている。
【０２３８】
そこで、編集モニタにエコモードが設定されている場合、編集作業を早く終え、終了ボタンを押下した利用者側の画面半分について、省電力状態で動作するようにしてもよい。すなわち、編集モニタの画面半分はエコ画面として表示されるようになる。この場合、編集可能時間内であれば、編集を再開できるように、エコ画面上に、再開ボタンを設けるようにしてもよい。再開ボタンが押下されると、エコ画面が表示されていた領域に、編集画面が再び表示されるようになる。
【０２３９】
以上においては、編集処理が行われていないとき、編集モニタは、省電力状態での動作として、エコ画面を表示するものとしたが、エコ画面が表示されている状態で、編集モニタの液晶パネルの輝度値を下げることで、より一層、写真シール作成装置１の省電力化を図ることができる。
【０２４０】
＜エコモードが設定されているときの編集モニタの動作＞
ここで、エコモードが設定されているときの編集モニタの動作について説明する。
【０２４１】
（動作例１）
図２６は、編集モニタの動作例について説明する図である。
【０２４２】
図２６には、編集モニタの輝度値およびその動作が時系列に沿って示されている。なお、図２６に示される編集モニタは、上述した編集モニタ３１２−１，３１２−２のいずれかに対応するものとし、以降においても同様とする。
【０２４３】
また、以降においては、編集モニタは、輝度値として０乃至100の値をとることができるものとする。ここで、輝度値０は、編集モニタの液晶パネルの表示が最も暗くなる値（エコ値）とし、輝度値100は、編集モニタの液晶パネルの表示が最も明るくなる値（通常値）とする。
【０２４４】
図２６の例では、編集空間Ａ２−１（Ａ２−２）には利用者がおらず、編集モニタは省電力状態で動作しているものとする。すなわち、編集モニタには、エコ画面が表示されているものとする。またこのとき、編集モニタの輝度値はエコ値をとるものとする。すなわち、編集モニタには、エコ画面が暗く表示されている。
【０２４５】
上述した状態で、利用者が撮影空間Ａ１から編集空間Ａ２−１（Ａ２−２）に移動し、編集処理が開始されると、編集モニタは、エコ画面の表示を終了し、利用者に写真シール作成ゲーム（編集作業）を行わせるためのゲーム画面（編集画面）を表示する。またこのとき、編集モニタの輝度値は、エコ値から通常値に設定される。すなわち、編集モニタには、ゲーム画面が明るく表示される。
【０２４６】
その後、編集処理において編集モニタに最後に表示される編集画面として、事後選択空間への案内画面が表示され、編集処理が終了すると、編集モニタは、再び省電力状態での動作を開始し、エコ画面を表示する。このとき、編集モニタの輝度値は通常値のままであり、編集モニタには、図２７左側に示されるように、エコ画面が明るく表示される。
【０２４７】
そして、編集モニタにエコ画面が表示されてから５分経過後、編集モニタの輝度値は通常値からエコ値に設定され、編集モニタには、図２７右側に示されるように、エコ画面が暗く表示される。なお、編集モニタにエコ画面が表示されてから５分経過する前に、再び編集処理が開始された場合、編集モニタの輝度値は通常値のままとなり、編集モニタには、ゲーム画面が表示されるようになる。
【０２４８】
このような動作により、より一層、編集モニタの省電力化を図ることができる。
【０２４９】
（動作例２）
図２８は、編集モニタの他の動作例について説明する図である。
【０２５０】
図２８の例では、写真シール作成装置１の電源がOFFされており、そのため、編集モニタの電源もOFFされているものとする。また、編集モニタの輝度値はいかなる値に設定されていてもよいものとする。
【０２５１】
この状態で、電源投入により写真シール作成装置１の電源がONされると、編集モニタは起動処理を開始する。そして、編集モニタが起動処理を開始してから所定の時間経過後、編集モニタの輝度値は通常値に設定される。
【０２５２】
その後、起動処理が終了すると、編集モニタはエコ画面を表示する。このとき、編集モニタの輝度値は通常値のままである。
【０２５３】
そして、編集モニタにエコ画面が表示されてから５分経過後、編集モニタの輝度値はエコ値に設定される。なお、編集モニタにエコ画面が表示されてから５分経過する前に、例えば編集処理が開始された場合、編集モニタの輝度値は通常値のままとなり、編集モニタには、ゲーム画面が表示されるようになる。
【０２５４】
このような動作により、より一層、編集モニタの省電力化を図ることができる。
【０２５５】
（動作例３）
図２９は、編集モニタのさらに他の動作例について説明する図である。
【０２５６】
図２９の例では、編集空間Ａ２−１（Ａ２−２）には利用者がおらず、編集モニタは省電力状態で動作しているものとする。すなわち、編集モニタには、エコ画面が表示されているものとする。またこのとき、編集モニタの輝度値はエコ値をとるものとする。すなわち、編集モニタには、エコ画面が暗く表示されている。
【０２５７】
この状態で、オペレータによりメンテナンスボタンが押下されると、編集モニタは、エコ画面の表示を終了し、メンテナンス画面を表示する。なお、この例では、メンテナンス画面は編集モニタに表示されるものとする。またこのとき、編集モニタの輝度値は、エコ値から通常値に設定される。すなわち、編集モニタには、メンテナンス画面が明るく表示される。
【０２５８】
その後、オペレータがメンテナンス作業を終え、メンテナンス画面の表示が終了すると、編集モニタは、再びエコ画面を表示する。このとき、編集モニタの輝度値は通常値のままである。
【０２５９】
そして、編集モニタにエコ画面が表示されてから５分経過後、編集モニタの輝度値はエコ値に設定される。なお、編集モニタにエコ画面が表示されてから５分経過する前に、例えば編集処理が開始された場合、編集モニタの輝度値は通常値のままとなり、編集モニタには、ゲーム画面が表示されるようになる。
【０２６０】
このような動作により、より一層、編集モニタの省電力化を図ることができる。
【０２６１】
なお、以上においては、編集モニタの輝度値０がエコ値として設定されるものとしたが、通常値（輝度値100）より低い任意の輝度値がエコ値として設定されるようにしてもよい。
【０２６２】
また、以上においては、編集モニタに対して省電力モード（エコモード）が設定されたときの動作例について説明したが、撮影モニタに対してエコモードが設定された場合、上述した編集モニタの動作と同様に、撮影モニタが動作するようにしてもよい。ただし、写真シール作成装置１が撮影空間Ａ１において硬貨投入を受け付ける構成を採る場合、硬貨投入前に撮影モニタの画面が暗いと、利用者が、電源が入っていないのでは、故障しているのでは、などと勘違いをするおそれがある。そこで、写真シール作成装置１が撮影空間Ａ１外において事前に硬貨投入を受け付ける構成を採る場合に、撮影モニタに対してエコモードが設定されるようにする。
【０２６３】
さて、上述で説明した例では、モニタに対してエコモードが設定されるものとしたが、定常光を発光する光源に対してエコモードが設定されるようにしてもよい。
【０２６４】
＜写真シール作成装置の他の機能構成例＞
図３０は、本実施の形態の写真シール作成装置１のさらに他の機能構成例を示している。
【０２６５】
図３０に示される構成は、図１０に示される構成に加え、定常光光源５１１および発光制御部５２１を備える。
【０２６６】
定常光光源５１１は、撮影空間Ａ１内に設けられる。具体的には、定常光光源５１１は、撮影に合わせて発光するストロボ発光管とともに、撮影空間Ａ１内の各ストロボユニットの内部に設けられる。定常光光源５１１は、撮影空間Ａ１内に定常光を照射する。
【０２６７】
発光制御部５２１は、定常光光源５１１の発光を制御する。具体的には、発光制御部５２１は、モード設定部３２３によって省電力モード（エコモード）が設定されると、定常光光源５１１を省電力状態で発光動作させる。
【０２６８】
なお、以下においては、発光制御部５２１の制御によって省電力状態で発光動作する定常光光源５１１は、天井ストロボユニット３２および上ストロボユニット８２内に設けられる定常光光源であるものとして説明する。
【０２６９】
ここで、天井ストロボユニット３２および上ストロボユニット８２の詳細な構成例について説明する。
【０２７０】
＜天井ストロボユニットの構成例＞
図３１は、天井ストロボユニット３２の外観の構成例を示している。
【０２７１】
天井ストロボユニット３２の発光面は、半円筒形状の乳白アクリル板５３１により構成される。乳白アクリル板５３１により、天井ストロボユニット３２内部からの光が拡散され、その光が撮影空間Ａ１内全体に照射される。
【０２７２】
図３１は、乳白アクリル板５３１を取り外した状態の天井ストロボユニット３２の内部の構成例を示している。
【０２７３】
天井ストロボユニット３２の内部で、長手方向の中心の位置には、ストロボ発光部５４１が設けられる。また、図中、ストロボ発光部５４１の左側には、定常光光源５４２が設けられ、ストロボ発光部５４１の右側には、定常光光源５４３が設けられる。
【０２７４】
ストロボ発光部５４１の図中手前側には、側面視でＬ字をなす２平面から構成されるＬ字反射板５５１が設けられる。また、そのＬ字反射板５５１の図中奥側には、図３３に示されるように、円筒形状のストロボ発光管５５２が設けられる。ストロボ発光管の図中奥側には、側面視でＶ字をなす２平面から構成されるＶ字反射板５５３が設けられる。すなわち、ストロボ発光部５４１において、ストロボ発光管５５２は、Ｌ字反射板５５１とＶ字反射板５５３とに囲まれるように設けられる。
【０２７５】
このような構成により、撮影空間Ａ１の天井から柔らかい光（反射または拡散することで光源から間接的に被写体に当たる光）が照射されるようになる。
【０２７６】
定常光光源５４２，５４３は、LED電球により構成され、撮影のタイミングにかかわらず常時点灯している。すなわち、定常光光源５４２，５４３は、乳白アクリル板５３１を介して、撮影空間Ａ１の天井から定常光を照射する。なお、定常光光源５４２，５４３は電球型蛍光灯により構成されるようにしてもよい。
【０２７７】
＜上ストロボユニットの構成例＞
図３４は、上ストロボユニット８２の外観の構成例を示している。
【０２７８】
上ストロボユニット８２の発光面は、椀状の凸曲面を有する乳白アクリル板５６１により構成される。乳白アクリル板５６１により、上ストロボユニット８２内部からの光が拡散され、その光が撮影空間Ａ１内に照射される。
【０２７９】
図３５は、乳白アクリル板５６１を取り外した状態の上ストロボユニット８２の内部の構成例を示している。
【０２８０】
上ストロボユニット８２の内部で、円の略中心の位置には、ストロボ発光部５７１が設けられる。また、図中、ストロボ発光部５７１の左側には、定常光光源５７２が設けられ、ストロボ発光部５７１の右側には、定常光光源５７３が設けられる。
【０２８１】
ストロボ発光部５７１には、円筒形状のストロボ発光管５８１が設けられる。ストロボ発光管の図中奥側には、側面視でＶ字をなす２平面から構成されるＶ字反射板５８２が設けられる。
【０２８２】
このような構成により、撮影空間Ａ１内の利用者に対して固い光（光源から直接的に被写体に当たる光）が照射される。
【０２８３】
定常光光源５７２，５７３は、LED電球により構成され、撮影のタイミングにかかわらず常時点灯している。すなわち、定常光光源５７２，５７３は、乳白アクリル板５６１を介して、カメラ９１の上方から定常光を照射する。なお、定常光光源５７２，５７３は電球型蛍光灯により構成されるようにしてもよい。
【０２８４】
上述したように、天井ストロボユニット３２内に設けられる定常光光源５４２，５４３、および、上ストロボユニット８２内に設けられる定常光光源５７２，５７３は、エコモードが設定されると、発光制御部５２１の制御によって省電力状態で発光動作する。これにより、ゲームのプレイが可能な環境があることを利用者に伝えるとともに、後述する自分撮りを行わせないようにすることができる。
【０２８５】
＜エコモード設定処理について＞
ここで、図３６のフローチャートを参照して、定常光光源５１１についてのエコモード設定処理について説明する。図３６の処理は、定常光光源５１１についてエコモードが設定されていない状態で実行される。
【０２８６】
なお、図３６のフローチャートにおけるステップＳ５１乃至Ｓ５４の処理は、図１２のフローチャートにおけるステップＳ１１乃至Ｓ１４のそれぞれと同様であるので、その説明は省略する。
【０２８７】
すなわち、ステップＳ５５において、発光制御部５２１は、定常光光源５１１を省電力状態で発光動作させる。
【０２８８】
具体的には、省電力状態では、発光制御部５２１は、写真シール作成装置１が所定の動作をしている間は、定常光光源５１１を点灯させる。また、発光制御部５２１は、その所定の動作の後、撮影空間Ａ１内に設けられた撮影モニタ３１１にデモ画面が表示されてから所定の時間経過後に、定常光光源５１１を消灯させる。これにより、定常光光源５１１の消費電力が抑えられる。
【０２８９】
＜エコモード解除処理について＞
続いて、図３７のフローチャートを参照して、エコモード解除処理について説明する。図３７の処理は、エコモードが設定されている状態で実行される。
【０２９０】
なお、図３７のフローチャートにおけるステップＳ７１乃至Ｓ７４の処理は、図１４のフローチャートにおけるステップＳ３１乃至Ｓ３４のそれぞれと同様であるので、その説明は省略する。
【０２９１】
すなわち、ステップＳ７５において、発光制御部５２１は、定常光光源５１１を通常状態で発光動作させる。具体的には、省電力状態では、発光制御部５２１は、定常光光源５１１を常時点灯させる。
【０２９２】
＜エコモードが設定されているときの写真シール作成装置の動作＞
ここで、エコモードが設定されているときの写真シール作成装置１の動作について説明する。以下においては、撮影空間Ａ１内の定常光光源に対してエコモードが設定されるものとする。
【０２９３】
（動作例１）
図３８は、写真シール作成装置１の動作例について説明する図である。
【０２９４】
図３８には、定常光光源および撮影モニタそれぞれの動作が時系列に沿って示されている。なお、図３８に示される定常光光源および撮影モニタそれぞれは、上述した定常光光源５１１および撮影モニタ３１１それぞれに対応するものとし、以降においても同様とする。
【０２９５】
図３８の例では、撮影空間Ａ１には利用者がおらず、定常光光源は消灯し、撮影モニタにはデモ画面が表示されているものとする。なお、このとき、撮影空間Ａ１内の左ストロボユニット８３、右ストロボユニット８４、足元ストロボユニット８５、背面上ストロボユニット１２１、背面右ストロボユニット１２２、および背面左ストロボユニット１２３の内部に設けられる定常光光源は点灯しているものとする。
【０２９６】
この状態で、利用者による１枚目の硬貨投入が検知されると、定常光光源は点灯する。そして、全ての（必要な枚数の）硬貨投入が検知されると、写真シール作成装置１は写真シール作成ゲームの実行を開始し、撮影モニタは、利用者に写真シール作成ゲーム（撮影作業）を行わせるためのゲーム画面（撮影画面）を表示する。すなわち、写真シール作成ゲームにおける撮影処理が開始する。
【０２９７】
その後、撮影処理において撮影モニタに最後に表示されるゲーム画面として、編集空間への案内画面が表示され、撮影処理が終了すると、撮影モニタは、再びデモ画面を表示する。このとき、定常光光源は点灯したままである。
【０２９８】
そして、撮影モニタにデモ画面が表示されてから５分経過後、定常光光源は消灯する。なお、撮影モニタにデモ画面が表示されてから５分経過する前に、再び硬貨投入が検知された場合、定常光光源は点灯したままとなる。
【０２９９】
このような動作により、撮影空間Ａ１が利用されていないときには、定常光光源が消灯されるので、写真シール作成装置１の省電力化を図ることができる。
【０３００】
（動作例２）
図３９は、写真シール作成装置１の他の動作例について説明する図である。
【０３０１】
図３９の例では、写真シール作成装置１の電源がOFFされており、撮影空間Ａ１内の全ての定常光光源は消灯し、撮影モニタの電源もOFFされているものとする。
【０３０２】
この状態で、電源投入により写真シール作成装置１の電源がONされると、定常光光源は点灯する。またこのとき、撮影モニタは起動処理を開始する。すなわち、写真シール作成ゲームにおける撮影処理が開始する。
【０３０３】
その後、起動処理が終了すると、撮影モニタはデモ画面を表示する。このとき、定常光光源は点灯したままである。
【０３０４】
そして、撮影モニタにデモ画面が表示されてから５分経過後、定常光光源は消灯する。なお、撮影モニタにデモ画面が表示されてから５分経過する前に、例えば利用者による硬貨投入が検知された場合、定常光光源は点灯したままとなる。
【０３０５】
このような動作により、撮影空間Ａ１が利用されていないときには、定常光光源が消灯されるので、写真シール作成装置１の省電力化を図ることができる。
【０３０６】
（動作例３）
図４０は、写真シール作成装置１のさらに他の動作例について説明する図である。
【０３０７】
図４０の例では、撮影空間Ａ１には利用者がおらず、定常光光源は消灯し、撮影モニタには、デモ画面が表示されているものとする。なお、このとき、撮影空間Ａ１内の左ストロボユニット８３、右ストロボユニット８４、足元ストロボユニット８５、背面上ストロボユニット１２１、背面右ストロボユニット１２２、および背面左ストロボユニット１２３の内部に設けられる定常光光源は点灯しているものとする。
【０３０８】
この状態で、オペレータによりメンテナンスボタンが押下されると、定常光光源は点灯する。またこのとき、撮影モニタはメンテナンス画面を表示する。
【０３０９】
その後、オペレータがメンテナンス作業を終え、メンテナンス画面の表示が終了すると、撮影モニタは、再びデモ画面を表示する。このとき、定常光光源は点灯したままである。
【０３１０】
そして、撮影モニタにデモ画面が表示されてから５分経過後、定常光光源は消灯する。なお、撮影モニタにデモ画面が表示されてから５分経過する前に、例えば利用者による硬貨投入が検知された場合、定常光光源は点灯したままとなる。
【０３１１】
このような動作により、撮影空間Ａ１が利用されていないときには、定常光光源が消灯されるので、写真シール作成装置１の省電力化を図ることができる。
【０３１２】
（動作例４）
図４１は、写真シール作成装置１のさらに他の動作例について説明する図である。
【０３１３】
図４１の例では、定常光光源は点灯していても消灯していてもよく、撮影モニタには、任意の画面が表示されているものとする。
【０３１４】
この状態で、写真シール作成装置１において所定のエラーが発生すると、定常光光源は点灯する。またこのとき、撮影モニタはエラー画面を表示する。
【０３１５】
その後、撮影モニタにエラー画面が表示されている間、定常光光源は点灯し続ける。
【０３１６】
このように、写真シール作成装置１において所定のエラーが発生した場合には、定常光光源は点灯したままとなる。
【０３１７】
＜撮影空間における光学的環境について＞
ここで、写真シール作成装置１の撮影空間Ａ１における光学的環境について説明する。
【０３１８】
撮影空間Ａ１内に設けられる各ストロボユニットは、それぞれの機能を有する。
【０３１９】
具体的には、上ストロボユニット８２は、いわゆるメインライトとして機能する。そのため、上ストロボユニット８２が有するストロボ発光管および定常光光源の発光量は、他のストロボユニットのそれらと比較して大きく設定される。上ストロボユニット８２は、被写体との距離が、被写体の顔に極端な陰影やハイライトが生じないような距離となるように設置される。また、上ストロボユニット８２は、その中心と、カメラ９１のレンズの中心が、写真シール作成装置１の設置面に垂直な同一直線状に並ぶように設置される。さらに、上ストロボユニット８２は、被写体がカメラ９１から離れた位置に立っている場合であっても、立体感が出るように所定の角度をつけて設置される。
【０３２０】
足元ストロボユニット８５は、箱状に形成されており、２つの発光面を有している。１つはその上面であり、もう１つは手前側（被写体側）の面である。足元ストロボユニット８５においては、それぞれの発光面について、１つのストロボ発光管と所定数の定常光光源が設けられている。
【０３２１】
足元ストロボユニット８５の上面は、手前から奥へ高さが増すように傾斜している。これにより、被写体の前方斜め下から光が照射され、被写体の顔の顎や首の部分に生じる影を抑えることができる。
【０３２２】
足元ストロボユニット８５の手前側の面は、写真シール作成装置１の設置面に対して垂直になされている。これにより、被写体の足元に光が照射され、特に被写体の全身を写す全身撮影時に、被写体の足元が暗く写ることを防ぐことができる。また、被写体がカメラ９１から離れた位置に立っている場合であっても、カメラ９１に近い位置に立っている場合であっても、被写体の顔の顎や首の部分に生じる影を抑えることができる。
【０３２３】
天井ストロボユニット３２は、撮影空間Ａ１の上方から被写体に光を照射する。被写体がカメラ９１に近い位置に立っている場合、他のストロボユニットからの光が被写体の頭頂部の髪などに当たらず、その部分が暗くなることがある。天井ストロボユニット３２によれば、その部分に光を照射し、その部分を明るくすることができる。また、被写体がカメラ９１から離れた位置に立っている場合、上ストロボユニット８２からの光が届かず、立体感を十分に出せないおそれがある。天井ストロボユニット３２によれば、上ストロボユニット８２からの光を補うことができ、立体感を出すようにすることができる。
【０３２４】
背面上ストロボユニット１２１は、被写体の後方斜め上から光を照射する。これにより、被写体の頭頂部および側頭部の髪を明るくすることができる。
【０３２５】
背面右ストロボユニット１２２は、被写体の後方右から光を照射し、背面左ストロボユニット１２３は、被写体の後方左から光を照射する。これにより、被写体の側頭部の髪を明るくすることができる。
【０３２６】
以上のような構成により、被写体の撮影に最適な光学的環境を実現することができる。
【０３２７】
＜自分撮りとその対策＞
ところで、近年、撮影者が手に持ったカメラにより自分自身を被写体として撮影する、いわゆる「自分撮り」が流行している。この自分撮りにおいては、特に、スマートフォンなどのカメラ付き携帯電話機がよく用いられ、撮影者は、様々な場所で簡単に自分撮りを行うことができる。
【０３２８】
さらに、近年、写真シール機の撮影空間における光学的環境を利用して、自分撮りを行う撮影者が増えつつある。自分撮りを行う撮影者にとっては、最適な光学的環境で自分撮りを行うことができるというメリットがある一方、このような行為は、ゲームを目的とした本来の利用者の妨げになるだけでなく、ゲームの回転率の低下にもつながるため、写真シール機を設置している施設や店舗にとっても不利益となる。
【０３２９】
そこで、上述したように、撮影空間Ａ１が利用されていないときに、天井ストロボユニット３２および上ストロボユニット８２の定常光光源を消灯させることで、撮影空間Ａ１を、自分撮りを行う撮影者に利用させないようにすることができる。
【０３３０】
天井ストロボユニット３２および上ストロボユニット８２の定常光光源を消灯した撮影空間Ａ１においては、自分撮りを行う撮影者の顔や上半身には光が照射されず、足元ストロボユニットからの光が、その撮影者の前方斜め下から光が照射されるのみとなる。撮影者が、このような光学的環境の中で自分撮りを行ったとしても、顔が暗く、顎や首の部分だけが明るく写る、見栄えの悪い画像しか得られない。
【０３３１】
すなわち、上述で説明したような定常光光源の発光動作により、撮影空間において自分撮りを行う撮影者の不当な利用を抑制することが可能となる。これにより、ゲームを目的とした利用者は、自分撮りを行う撮影者を気にすることなくゲームに臨むことができ、さらには、ゲームの回転率の向上を期待できるため、写真シール機を設置している施設や店舗にとっても利益となる。
【０３３２】
なお、撮影空間Ａ１が利用されていない場合であって、足元ストロボユニットの定常光光源は点灯しているので、これからゲームに臨もうとする利用者が、電源が入っていないのでは、故障しているのでは、などと勘違いをすることはない。
【０３３３】
＜その他の対策例＞
以上においては、撮影空間Ａ１を、自分撮りを行う撮影者に利用させないようにするために、撮影空間Ａ１における一部の定常光光源を消灯することで、自分撮りに適した光学的環境をつくり出さないようにしたが、他の対策を講じることも可能である。
【０３３４】
（色温度による対策）
例えば、各ストロボユニット内に設けられている定常光光源（LED電球）の色温度を、例えば、赤、黄、白、青などのように温度の低い順に周期的に変えるようにする。これにより、一定した光学的環境をつくり出さないようにし、撮影空間Ａ１を、自分撮りを行う撮影者に利用させないようにすることができる。なお、定常光光源の色温度をランダムに変えることで、より不安定な光学的環境をつくり出すようにしてもよい。
【０３３５】
（撮影空間内の壁面による対策）
撮影空間Ａ１を構成する壁面（正面パネル４１、背面パネル５１、および側面パネル５２Ａ，５２Ｂ）の色が白色の場合、各ストロボユニットからの光が壁面で反射することで、立体感が出るような光学的環境を実現することができる。そこで、撮影空間Ａ１を構成する壁面を、白色以外の、明度の低い色や、反射率の低い色にする。これにより、上述した光学的環境をつくり出さないようにし、撮影空間Ａ１を、自分撮りを行う撮影者に利用させないようにすることができる。なお、撮影空間Ａ１を構成する壁面の材料として、反射率の低い材料を用いるようにしてもよい。
【０３３６】
また、撮影空間Ａ１を構成する壁面に、所定の文字を入れるようにしてもよい。これにより、撮影空間Ａ１において自分撮りを行った場合、背景などにその文字が写り込んだ画像が得られる。このような画像は、決して見栄えの良い画像とはいえないため、自分撮りを行う撮影者に、撮影空間Ａ１において自分撮りを行うことを躊躇させることができる。
【０３３７】
なお、撮影空間Ａ１を構成する壁面に、任意の会社の社名やブランド名などを文字として入れることで、それらの宣伝効果を期待することもできる。
【０３３８】
（機械的構成による対策）
撮影空間Ａ１の出入り口Ｇ１，Ｇ２には、撮影作業の様子を他の利用者に覗かれないようにカーテンが設けられる。しかしながら、このカーテンによって撮影空間Ａ１がその外側と区切られた空間となることで、自分撮りを行う撮影者は、周りを気にすることなく自分撮りを行うことが可能となってしまう。
【０３３９】
そこで、出入り口Ｇ１，Ｇ２に設けられるカーテンを、開閉可能な左右スライド式のカーテンとする。そして、撮影空間Ａ１が利用されていないとき（具体的には、撮影モニタにデモ画面が表示されているとき）には、カーテンが開いた状態となり、硬貨投入が検知されることで、カーテンが閉じた状態となるよう、カーテンの開閉を制御するようにする。これにより、撮影空間Ａ１が利用されていないときには、撮影空間Ａ１内はその外側から丸見えとなり、自分撮りを行う撮影者に、撮影空間Ａ１において自分撮りを行うことを躊躇させることができる。
【０３４０】
また、背面パネル５１側に、複数の背景カーテンを昇降可能にする背景カーテンユニットを用意するようにしてもよい。この場合、撮影空間Ａ１が利用されていないときには、撮影に適さない色（明度の低い色や反射率の低い色など）の背景カーテンが降ろされた状態となり、硬貨投入が検知されることで、撮影に適した白色のカーテンや、緑色のクロマキー用カーテンが降ろされた状態となるよう、背景カーテンの昇降が制御されるようにしてもよい。
【０３４１】
さらに、撮影空間Ａ１を形成する撮影部２１と背景部２２とを連結する連結部３１Ａ，３１Ｂおよび連結部３４に代えて、伸縮可能な連結部材を設けることで、背景部２２が撮影部２１に近づくように可動する構成を採るようにしてもよい。この場合、撮影空間Ａ１が利用されていないときには、背景部２２が撮影部２１に近づいた状態とすることで、撮影空間Ａ１の大きさを狭めるようにする。また、硬貨投入が検知されることで、背景部２２を元の位置に戻すことで、撮影空間Ａ１の大きさが元の大きさに戻るようにする。これにより、撮影空間Ａ１が利用されていないときには、撮影空間Ａ１は狭くなるので、自分撮りを行う撮影者が撮影空間Ａ１に入り難くすることができる。
【０３４２】
（センサによる対策）
撮影空間Ａ１内に人感センサや赤外線センサなどを設け、これらのセンサにより人物の存在が検知されてから所定の時間経過後、硬貨投入が検知されない場合、撮影モニタに、「コインを入れてゲームを開始してね」などの、ゲームのプレイを促すメッセージが表示されたり、同様の音声ガイダンスが出力されるようにしてもよい。これにより、撮影空間Ａ１において自分撮りを行おうとしている撮影者にうしろめたさを与えることができる。
【０３４３】
同様に、上述したようなセンサにより人物の存在が検知されてから所定の時間経過後、硬貨投入が検知されない場合、人間にとって不快な音声（高周波数の音など）が出力されるようにしてもよい。
【０３４４】
また、近年の自分撮りの流行に伴い、カメラやスマートフォンに取り付けて自分撮りを行うための、長さ１ｍ程度の棒状の器具（以下、自撮り棒という）を利用して自分撮りを行う撮影者もいる。自撮り棒の中には、グリップ部分に内蔵されたり、本体とは別に構成されたリモートコントローラでシャッタ操作を行うものがある。この場合、Bluetooth（登録商標）などの近距離無線通信が用いられている。
【０３４５】
そこで、この自撮り棒を用いた自分撮りの対策として、近距離無線通信が行われていることが検知された場合、定常光光源の光量を下げるようにする。また、近距離無線通信を行うデバイスが２以上検知された場合に、定常光光源の光量を下げるようにしてもよい。なお、これらの場合に、定常光光源の光量を下げるだけでなく、撮影モニタに注意を喚起する画面が表示されるなどしてもよい。
【０３４６】
なお、上述した色温度、撮影空間内の壁面、機械的構成、およびセンサによる対策それぞれが、任意に組み合わされて適用されるようにしてもよい。
【０３４７】
＜自分撮りを受け入れる構成＞
以上においては、撮影空間Ａ１内での自分撮りの対策例について説明してきた。
【０３４８】
ところで、写真シール機の中には、回転率が高く売上げの良い機種と、回転率が低く売上げの悪い機種とがある。また、写真シール機は、いずれの機種であっても、上述したような光学的環境を実現することができる。
【０３４９】
そこで、売上げの悪い機種においては、あえて自分撮りを行わせるようにしてもよい。
【０３５０】
例えば、写真シール作成ゲームの中のコースの１つとして、自分撮りコースを用意する。硬貨投入が検知され、写真シール作成ゲームが開始し、自分撮りコースが選択された場合、撮影空間Ａ１内の各ストロボユニットにより、自分撮りに適した光学的環境が提供されるようにする。この場合、硬貨投入が検知されるまでは、上述した対策例のように、自分撮りに適した光学的環境が提供されないようにする。
【０３５１】
これにより、売上げの良い機種において自分撮りを行う撮影者を減らすことができるとともに、自分撮りを行う撮影者の満足度をも向上させることができる。
【０３５２】
なお、自分撮りコースによって得られた画像は、ゲームの中で携帯電話機と写真シール機とが通信を行うことで、編集処理や印刷処理、サーバへの送信の対象となるようにしてもよい。
【０３５３】
また、上述した例において、利用者が、サーバに送信された画像を自由に取得可能な有料会員であるか否かによって、自分撮りを行うことを許可するようにしてもよい。具体的には、写真シール機において、利用者に、その利用者が所有する携帯端末のメールアドレスや会員IDを入力させ、有料会員であると判定された場合に、自分撮りを行うことを許可するようにする。
【０３５４】
さらに、全ての利用者について、自分撮りを行うことを許可するようにした上で、その画像のサーバへの送信を有料とするようにしてもよい。この場合、利用者に対して、有料会員の登録を行わせることを条件として、自分撮りを行うことを許可するようにしてもよい。
【０３５５】
また、写真シール機が設置されている施設や店舗の一角の壁面や天井などに、写真シール機と同等の光学的環境を提供可能な照明装置を設け、自分撮り専用の空間を用意するようにしてもよい。
【０３５６】
上述した実施の形態では、写真シール作成装置１は、得られた撮影画像や編集画像をシール紙に印刷するとともに、サーバに送信することで利用者の携帯端末に提供する構成を採るものとした。これに限らず、撮影画像や編集画像をシール紙に印刷せずに、サーバに送信することで利用者の携帯端末に提供するのみの構成を採ることも可能である。また逆に、撮影画像や編集画像をサーバに送信せずに、シール紙に印刷するのみの構成を採ることも可能である。
【０３５７】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０３５８】
この記録媒体は、例えば、図７に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成される。また、これらだけでなく、記録媒体は、装置本体にあらかじめ組み込まれた状態で管理者に配信されるプログラムが記録されているROM２０６や、記憶部２０２に含まれるハードディスクなどで構成される。
【０３５９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３６０】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０３６１】
また、本技術の実施の形態は、上述した実施の形態に限定されるものではなく、本技術の要旨を逸脱しない範囲において種々の変更が可能である。
【符号の説明】
【０３６２】
１  写真シール作成装置
３１１  撮影モニタ
３１２  編集モニタ
３１３  事後選択モニタ
３２１  進行制御部
３２２  表示制御部
３２３  モード設定部
４１１  予約受付部
【図１】
0006703243.tif 000002
【図２】
0006703243.tif 000003
【図３】
0006703243.tif 000004
【図４】
0006703243.tif 000005
【図５】
0006703243.tif 000006
【図６】
0006703243.tif 000007
【図７】
0006703243.tif 000008
【図８】
0006703243.tif 000009
【図９】
0006703243.tif 000010
【図１０】
0006703243.tif 000011
【図１１】
0006703243.tif 000012
【図１２】
0006703243.tif 000013
【図１３】
0006703243.tif 000014
【図１４】
0006703243.tif 000015
【図１５】
0006703243.tif 000016
【図１６】
0006703243.tif 000017
【図１７】
0006703243.tif 000018
【図１８】
0006703243.tif 000019
【図１９】
0006703243.tif 000020
【図２０】
0006703243.tif 000021
【図２１】
0006703243.tif 000022
【図２２】
0006703243.tif 000023
【図２３】
0006703243.tif 000024
【図２４】
0006703243.tif 000025
【図２５】
0006703243.tif 000026
【図２６】
0006703243.tif 000027
【図２７】
0006703243.tif 000028
【図２８】
0006703243.tif 000029
【図２９】
0006703243.tif 000030
【図３０】
0006703243.tif 000031
【図３１】
0006703243.tif 000032
【図３２】
0006703243.tif 000033
【図３３】
0006703243.tif 000034
【図３４】
0006703243.tif 000035
【図３５】
0006703243.tif 000036
【図３６】
0006703243.tif 000037
【図３７】
0006703243.tif 000038
【図３８】
0006703243.tif 000039
【図３９】
0006703243.tif 000040
【図４０】
0006703243.tif 000041
【図４１】
0006703243.tif 000042